Podtech/llm-jp-corpus-v4-ja_patent huggingface dataset:
(57)【要約】      （修正有）【課題】建築構造物における内装工事に関し、塗装、壁紙等の仕上げ作業において、曲面的な下地面を平坦且つ滑らかにする為の道具に関する。【解決手段】扇状の円弧型に形成された刃（２）をハンドル（１）の一端部位に結合し、円弧型刃先を有する事を特徴とした、曲面パテベラである。【選択図】図５
2009102967.tif 000002
【特許請求の範囲】
【請求項１】
扇状の円弧型に形成された刃（２）をハンドル（１）の一端部位に結合し、円弧型刃先を有する事を特徴とした、曲面パテベラ。
【発明の詳細な説明】
【技術分野】
【０００１】  本発明は建築構造物における内装工事に関し、塗装、壁紙等の仕上げ作業において、その下地面を平坦且つ滑らかにする為の道具に関する。
【背景技術】
【０００２】  従来、建築構造物の仕上げ工事を施工する場合、表面を美しく仕上る為に、その下地面である石膏ボード、ベニア板、モルタル等の下地面をパテベラとパテ材を使用し平坦且つ滑らかな状態に処理する事が求められていた。【０００３】  この時、図１、図２、パテベラを下地面に斜めに当て、パテ材をしごき取るように下地面の凹凸部に埋め込む事で、石膏ボードの継ぎ目等を均等且つ滑らかで平坦な状態にする事が可能であった。【０００４】  一般的な住宅等においては、天井、壁面、共に直線的且つ平面的な下地面がほとんどである為、従来からある図３に示す刃の先端部を直線に設けたパテベラで十分に機能していた。しかし、美観を追求した建築構造物などそのデザインはさまざまであり、一部に丸みを設けた舟底天井や円柱形の柱など、曲面的な下地面を平坦且つ滑らかにする事は従来からあるパテベラでは非常に困難であった。【０００５】  建築資材等を製造販売するメーカー側も、パテベラの使用目的の主眼とする所は平らにすることである為、図３に示す刃の先端部を直線に設けたパテベラ以外製造していない事が実情である。その為、曲面的な下地面をパテ処理する場合、ベニア板、アクリル板等の一部を曲線状に加工するなど下地曲面に合わせた形の代用品で処理すると言う煩雑な方法がとられていた。
【発明の開示】
【発明が解決しようとする課題】
【０００６】  本発明は以上のような従来技術の問題点に鑑見てなされたものであり。下地面に曲面的なカーブを有する天井や壁面などの面においても均等且つ滑らかなパテ処理を施工する事の可能なパテベラを提供するものである。
【課題を解決する為の手段】
【０００７】  上述の問題を解決する為に本発明は、図５、扇状の円弧型に形成された刃（２）をハンドル（１）の一端部位に結合し、円弧型刃先を有する事を特徴とした、曲面パテベラである。
【発明の効果】
【０００８】  本来パテ処理の施工方法は、図１、図２、パテベラの刃先先端部位全面を下地面に圧着させながらパテ材をしごき取るように処理していた、これは下地面が平面的であり刃先が直線的な場合のみ有効である。しかし内側にカーブを設けた曲面的な下地面では図４に示す通りパテベラの刃先と下地面との間に隙間が生じてしまい平面的処理同様にパテ材をしごき取ることは物理的に不可能である。
【０００９】  本発明、曲面パテベラは、図５、刃先を扇状の円弧型に形成することにより、図６、曲面的な下地面にパテベラの刃先を圧着させる事を可能にし、従来成し得なかった曲面的な下地面においてもパテ材をしごき取り均等且つ滑らかな下地面を施工する事が可能になる。
【００１０】  以上の事から本発明曲面パテベラは、湾曲を有する構造物の内装下地面などにおいて、従来からある直線的な刃を設けたパテベラではパテ処理を施工する事が困難であった箇所においても均等且つ滑らかなパテ処理が可能になる。
【発明を実施する為の最良の形態】
【００１１】  以下、本発明の実施の形態を図面に基づき詳細に説明する。
【００１４】  図４に示す通り、従来からあるパテベラでは曲面的な下地面に対し、直線でしか刃を当てる事ができない。しかし刃先両端の角部分を無くし直線ではなく図５曲線状に設けた刃先であれば図６刃先先端部を下地面に圧着させる事が可能である為、曲面的な下地面であってもスムーズにパテ処理を行う事が可能であり。作業の効率及び技術の向上、作業時間の短縮と効果を発揮するものである。
【００１５】  曲面的な下地面には内側の曲面だけではなく円柱形の柱など、外側の曲面下地も施工するが。その場合考えられる曲面パテベラの構造として、内側にへこませた刃先を設ける事で、内側の曲面下地同様に施工が可能である。
【図面の簡単な説明】
【００１６】
【図１】  従来のパテ処理例
【図２】  従来のパテ処理例
【図３】  従来のパテベラ
【図４】  従来の曲面下地パテ処理例
【図５】  本発明曲面パテベラ
【図６】  本発明曲面下地パテ処理例
【符号の説明】
【００１７】  １      ハンドル
２      刃
３      下地面
【図１】
2009102967.tif 000003
【図２】
2009102967.tif 000004
【図３】
2009102967.tif 000005
【図５】
2009102967.tif 000006
【図４】
2009102967.tif 000007
【図６】
2009102967.tif 000008
(57)【要約】【課題】最近、デパート等の上りのエスカレーターで、手摺りから体を乗り出していた子どもが、梁との間に挟まれて重体となる事故が発生したが、危険を防止するために現在設置されている形の保護板では事故を防止できない。【解決手段】現在の保護板の形状を、弧状に湾曲した保護板に変えて設置することで事故を防止できる。【選択図】図１
2009102161.tif 000002
【特許請求の範囲】
【請求項１】
エスカレーターの危険防止用保護板の形を横方向に弧を描くように湾曲にすること。
【請求項２】
エスカレーターの危険防止用保護板の形を横方向に角度をつけて全体を湾曲にすること。
【請求項３】
エスカレーターの危険防止用保護板の形を横方向に「へ」の字形にすること。
【発明の詳細な説明】
【技術の分野】
【０００１】本発明は、現在、建物のエスカレーターで発生する事故を防止するため、建築基準法で設置を義務づけられ、設置されている保護板の形状を根本的に変えて設置することによって、事故を防止しようとするものである。
【背景技術】
【０００２】現在の保護板には形状及び設置方法ともに欠陥があり、事故を防止することはできない。
【発明の開示】
【発明が解決しようとする課題】
【０００３】建物のエスカレーターにおいて、上りのエスカレーターで人が体を手摺から乗り出しているような場合、上方に至って、梁などとの間に挟まれる事故を防ぐため、現在、アクリル板等の可動板が吊るされており、続いて固定の保護板が設置されているが、それでも重大な事故が発生している。
本発明は、この重要な課題を解決するものである。
【課題を解決するための手段】
【０００４】現在の平面の保護板と取り付け方法をやめて、弧状に湾曲した保護板を設置する。
【発明の効果】
【０００５】湾曲した保護板を設置することによって、梁等が近付くに従って手摺から乗り出している体を保護板が次第に手摺の方へ押し戻すこととなり挟まれることがなくなる。
【実施例】
【０００６】
【図面の簡単な説明】
【０００７】
【図１】本発明の湾曲した保護板を取り付けたときの平面図である。
【図２】本発明の湾曲した保護板を取り付けたときの側面図である。
【符号の説明】
【０００８】〔図１〕▲１▼  湾曲した保護板
〔図２〕▲２▼  湾曲した保護板
【図１】
2009102161.tif 000003
【図２】
2009102161.tif 000004
(57)【要約】【課題】本発明は、おんぶ紐を使用して子供を背負う際に、おんぶ紐が露出せず、子供を外気から守り、家事中のエプロンとしても使用でき、装着が容易である。また、外出・室内着としても使用できる流行を考えたデザインのママワンピースを提供する。【解決手段】前身頃はワンピースで、両脇から子供の背中を覆うように布を取り付ける。【選択図】図１
2009102785.tif 000002
【特許請求の範囲】
【請求項１】
本発明はおんぶ紐を利用して子供を背負う際に母親が着るもので、おんぶ紐が露出させず、おんぶした時に母親の正面から見るとワンピースだが、防寒用に子供の背中から足元までを覆える布を取り付けたことを特徴とするママワンピースである。
【請求項２】
両脇部分に留め具を付け、子供を覆っている布を取り外せることを特徴とするママワンピースである。
【請求項３】
ママワンピースはエプロンとしても使用できる特徴を有する。
【発明の詳細な説明】
【技術分野】
【０００１】本発明は、おんぶ紐を使用して子供を背負う際に、外気から子供を守り、おんぶ紐が露出せず、おんぶしながらの家事の際、エプロンとして使用できるもの。
【背景技術】
【０００２】従来、子供をおんぶした時、外気から守るためにタオル等を子供の背中から足元にかけていた。さらにおんぶ時はエプロンを付けづらいし、従来型のおんぶ紐（胸元でクロスするおんぶ紐）は胸に食い込み見た目が悪いと敬遠されてきた。以前おんぶ用エプロンの提案があったようです。（特許文献１・特許文献２参照）
【特許文献１】実用新案登録第２５７３３６０号広報
【特許文献２】実開平１−８３００８号広報
【発明の開示】
【発明が解決しようとする課題】
【０００３】上記特許文献１、２は、いずれも胸元を隠しエプロンとしての用を足すだけのものである。これでは子供の暖は取れません。更にエプロン単独では使用できず、装着も複雑である。したがって、この発明の目的は、特許文献１，２を超越した物でなくてはなりません。まず、忙しい子育ての合間ですので装着の簡単さ、家事でも外出でも着用出来る便利さ、そして見た目の美しさ、デザインを楽しみおしゃれ感を忘れない、優雅で余裕さえ感じさせる子育てを目指すためにママワンピースを提供します。
【課題を解決するための手段】
【０００４】前から見るとワンピースで、おんぶした子供の背中から足元にかけてすっぽりと覆う布を取り付ける。両脇部分と子供を覆う布は切り離せ、止め具を設ける。前身頃部分はエプロンとしても対応できる。以上を特徴とするママワンピースである。
【発明の効果】
【０００５】本発明は、おんぶ紐を使用して子供を背負う際に、子供を外気から守れ、おんぶ紐が露出しない。着用方法は、図１の３を母親の首にかけ、２の留め具を片方外し、５で子供を覆い、再度留め具で元の場所に留めつけるだけの簡単なものである。またおしゃれ着などの生地を用いれば外出着としても利用でき、普段着用の生地ならばお散歩や、家の中での家事にもエプロンとして利用できる。更に前身ごろのワンピース部分は流行のデザイン等を取り入れると、おしゃれで優雅な感じになる。子育てに疲れた母親も明るい気持ちで外出が出来る。
【発明を実施するための最良の形態】
【０００６】以下、本発明の実施形態について図面を参照して説明する。
図１は、本発明に係るママワンピースの着用の形態を示す図で、（ａ）は着用状態図、（ｂ）は前身頃部分、（ｃ）は後身頃部分を示す図である。
図２の（ａ）は前身頃、（ｂ）は後身頃を示す図である。
図３の（ａ）・（ｂ）は、前後の着用の状態を示す図である。【０００７】図１（ｂ）について、１は首にかける部分で取り外し可能である。留め具を用いるが、留め具の例はボタン・マジックテープ・リボン・スナップボタンなど、さまざまな留め具があり、必要に応じて選択して使用する。２は脇部分が取り外しできる。こちらも留め具を用いるが、１のようにさまざまな留め具を必要に応じて選択して使用する。裾部分には留め具は使用しない。３は頭を通す部分である。４は前身頃で、流行に応じたデザインが考えられる。切り替え・ポケット・ギャザー・プリーツなどさまざまなデザインが考えられる。
図１（ｃ）について、５は伸縮性を持たせる。それにはゴム・紐などさまざまな材料が考えられるが、必要に応じて選択して使用する。後身頃は流行に応じたデザインが考えられる。切り替え・ポケット・ギャザー・プリーツなどさまざまなデザインが考えられる。
図２（ａ）について、前後身頃を離した状態で、前身頃である。１は首にかける部分で外した状態である。２は脇部分の留め具である。留め具は脇部分にだけ付ける。
図２（ｂ）について、前後身頃を離した状態で、後身頃である。２は脇部分で裏側に留め具が付いている。５はゴム・紐などを用いて伸縮性を持たせる。
図３について、（ａ）は着用時の後から見た図である。（ｂ）は着用時の前から見た図である。図３（ｂ）の６は、おんぶ紐（たすきがけ部分）がすっかり隠れる様子を示す図である。
【図面の簡単な説明】
【０００８】図１は本発明の着用図と前後面図である。
図２は本発明の分解図である。（ａ）は前身頃の説明図。（ｂ）は後身頃の説明図。
図３は本発明の着用図である。
【符号の説明】
【０００９】１後首開口部
２脇留め具付け位置
３頭を通す所
４前身頃
５後身頃ゴム付け位置
６おんぶ紐位置
【図１】
2009102785.tif 000003
【図２】
2009102785.tif 000004
【図３】
2009102785.tif 000005
(57)【要約】【課題】雨の日に、自転車に濡れずに安全に乗るためのポンチョである。【解決手段】今までのものでは、手首、膝がぬれてしまったが、ポンチョの前端のポケットで、ハンドルを、包むことによって防ぐことができる。膝を隠してしまったことによって、見にくくなった足元を、前身ごろの、透明窓によって解決。フードに、透明つばを付けることにより、頭の濡れを、防ぎ、フード口を、ゴムにしたことで、視界が、フードで邪魔されることを、防いだ。【選択図】図１
2009102787.tif 000002
【特許請求の範囲】
【請求項１】
自転車のハンドルを、くるむ為の、ポケット付き。
【請求項２】
フードに、透明のつば付き。
【請求項３】
ポンチョの前部分に、自転車に乗るときに、ペダルが、見えるように透明な、窓付き。
【発明の詳細な説明】
【技術分野】
【０００１】  本考案は、雨の日に、自転車に乗って、傘を持たず、安全に、走行するためのポンチョである。
【背景技術】
【０００２】  今までのものは、手首のところや、膝が濡れてしまい、不都合だった。
【発明の開示】
【発明が解決しようとする課題】  手首、膝の部分のカバー。
【発明が解決するための手段】
手首と、膝の濡れるのを、防ぐために、袖の形にせず、前身頃の長めの、ポンチョの形にした。前身ごろの先端に、ハンドルをくるんで、一緒にハンドルを、つかめるように、ポケットを付けた。
膝を、覆ってしまったので、乗る時に足元が、見えなくなってしまったので、前身頃中央に、透明な、窓を付けた。
フードには、前が、見やすいように、透明な、つばを付けた。フード口は、ゴムを通し、横を向いたときに、フードが、視界の邪魔にならないようにした。
【発明の効果】
手首、膝の濡れは、ほぼ完全に、防ぐことができる。
窓を付けたので、乗るときに、足元が見えて、安全である。
フードのつばが、透明なので、あめが、ふせげ、視界を、妨げない。
フード口に、ゴムを、使っているので、横を向いたときに、フードが、視界の邪魔にならない。
【産業上の利用可能性】  不意の雨にも、活用できるよう、本体に、本体を収納できるポケットを付け、コンパクトになる素材を使い、自転車に、常備できるようにするとよい。
【図面の簡単な説明】
【図１】ポンチョ側面図
【図２】裏から見た図
【符号の説明】
▲１▼  ハンドルをつかむ為のポケット
▲２▼  足元を見るための窓
▲３▼  フード口のゴム、止め具付き
▲４▼  フードに付けた、透明のつば
▲５▼  収納のためのポケット
▲６▼  フード
【図１】
2009102787.tif 000003
【図２】
2009102787.tif 000004
(57)【要約】【課題】食物保存時に、シートを広げて四方から包み、収納することを特徴とする食物包装具を提供する。【解決手段】円形状のビニールシートの周縁複数に折りひだと折り込み部を設け、シートの裏側の中心に止め部を設け、止め部よりシート全体を一周以上させて包むゴム紐からなるベルトを設けた食物入れ包装具。【選択図】図１
2009102060.tif 000002
【特許請求の範囲】
【請求項１】
円柱状のビニールシートの周縁複数に折りひだと折り込み部を設け、シートの裏面の中心に止め部を設け、止め部よりシート全体を一周以上させて包むゴム紐からなるベルトを設けた食物入れ包装具。
【発明の詳細な説明】
【技術分野】
【０００１】  本発明は、食物を入れて、四方から包む食物入れ包装具である。
【背景技術】
【０００２】  従来、残り食物などを入れるものは、蓋付箱形ケースやラップなどを使用していた。
【発明の開示】
【発明が解決しようとする課題】
【０００３】  そのために、次のような問題点があった。
（イ）毎日の残りご飯をケースに入れるとき、散乱する。
（ロ）ケースより多めに入れたいときは、中身を潰す。
（ハ）空になったケースは蓋のふちと底の隅が洗いにくい。
（ニ）手でおにぎりなどを作り保存する手間がある。
（ホ）ラップは薄いので、２重包みなどで大量に使い、付着したご飯とともに毎回捨てる
（ヘ）保存のため、長く炊飯釜に入れておくとご飯が黄色く変質する。
本発明は、これらの問題点を解決するためになされたものである。
【課題を解決するための手段】
【０００４】  円形状のビニールシートの周縁複数に折りひだと折り込み部を設け、シートの裏面の中心に止め部を設け、止め部よりシート全体を一周以上させて含むゴム紐からなるベルトを設けた食物入れ包装具である。
【発明の効果】
【０００５】  本発明は、食べ物の残りを、手を使わず包み、そのまま冷蔵庫に保存したり、そのままレンジで温めたり出来る。空気も入らなく、密閉でき、衛生面でも優れている。
【発明を実施するための最良の形態】
【０００６】  以下、本発明の実施の形態について説明する。
（イ）扁平状からなる平形状のビニール製シート（１）の周縁、複数の三角形状になる折りひだ（２）を設ける。
（ロ）三角状の折りひだ（２）の中心部に折り込み部（３）を設ける。
（ハ）シート（１）の裏面の中心に突出させた止め部（４）を設ける。
（ニ）止め部（４）にゴム紐状のバンド（５）を設け、バンドはシート（１）を一周以上して包み込む長さとする。
本発明は、以上の構成より成り立っている。
本発明を使用するときは、シート（１）を広げ、表面中心部に食物を載せる。
次にシート（１）の外側より中心部に折りながら食物を包むことが出来る。
食物をシート（１）に包み込んだ後、シート（１）の裏面に設けたバンド（５）で包装物を一周以上して輪を掛け、バンド（５）は止め部（４）に固定する。これによりシート（１）の中に包み込まれた食物は外にこぼれることがなく冷蔵庫などに保存出来る。
伸縮するゴムバンドを使用することにより、中の食物の量に自由に対応でき、且つしっかりと収めることが出来る。中の食物が無くなったら、１枚の平らな（１）ビニールシートになるので、洗ったら（４）のゴム紐をかけて干す。凹凸が無いので洗いやすく乾きやすい。
【図面の簡単な説明】
【０００７】
【図１】本発明の斜視図
【図２】本発明の断面図
【図３】本発明の使用状態を示す斜視図
【符号の説明】
【０００８】  １  シート
２  折りひだ
３  折り込み部
４  止め部
５  ベルト
【図１】
2009102060.tif 000003
【図２】
2009102060.tif 000004
【図３】
2009102060.tif 000005
(57)【要約】【課題】  誰でも低コストないし無料で取得することができる飲料包装用ペットボトルを提供することを目的としている。【解決手段】  飲料を収納する透明樹脂製部材からなる注ぎ口を有する円筒形態のペットボトル容器本体２と、このペットボトル容器本体２に形成された、該ペットボトル容器本体２の中に入れられたパチンコ玉のような玉３が入り案内されて転がって行くようにする螺旋形態の玉案内溝４とからなっている。【選択図】図１
2009102061.tif 000002
【特許請求の範囲】
【請求項１】
飲料を収納する透明樹脂製部材からなる注ぎ口を有するペットボトル容器本体と、
このペットボトル容器本体に形成された、該ペットボトル容器本体の中に入れられた玉が入り案内されて転がって行くようにする玉案内溝とからなることを特徴とする飲料包装用ペットボトル。
【請求項２】
飲料を収納する透明樹脂製部材からなる注ぎ口を有するペットボトル容器本体と、
このペットボトル容器本体の内側に突出するように形成された、該ペットボトル容器本体の中に入れられた玉が通る隙間と通らない隙間を多数形成するように設けられた多数の突起部とからなることを特徴とする飲料包装用ペットボトル。
【請求項３】
飲料を収納する透明樹脂製部材からなる注ぎ口を有するペットボトル容器本体と、
このペットボトル容器本体の内側に形成された、該ペットボトル容器本体の中に入れられた玉の抜け道を探しながら該玉を転がして行く迷路とからなることを特徴とする飲料包装用ペットボトル。
【発明の詳細な説明】
【技術分野】
【０００１】  本発明は、中の飲料が無くなった後にパチンコ玉などの玉を入れて、該玉の転がし移動を持った手の操作によって操る遊具とできる飲料包装用ペットボトルに関する。
【背景技術】
【０００２】  従来、透明な樹脂製ケースの中に迷路を設け、その中に玉（球体）が入れられて、持った手で操作して該玉を転がしながら該玉の迷路抜けを楽しむ遊具が知られている。【０００３】  大量に生産されるわけではないのでコストがかかり高価なものになってしまうもので、したがって、誰でも気軽に手に入れて楽しむことできないという欠点があった。
【特許文献１】  特になし
【非特許文献１】  特になし
【発明の開示】
【発明が解決しようとする課題】
【０００４】  本発明は以上のような従来技術の欠点に鑑み、誰でも低コストないし無料で取得することができる飲料包装用ペットボトルを提供することを目的としている。
【課題を解決するための手段】
【０００５】  上記目的を達成するために、本発明は、飲料を収納する透明樹脂製部材からなる注ぎ口を有するペットボトル容器本体と、このペットボトル容器本体に形成された、該ペットボトル容器本体の中に入れられた玉が入り案内されて転がって行くようにする玉案内溝とからなることを特徴とする飲料包装用ペットボトルを構成している。
また、飲料を収納する透明樹脂製部材からなる注ぎ口を有するペットボトル容器本体と、このペットボトル容器本体の内側に突出するように形成された、該ペットボトル容器本体の中に入れられた玉が通る隙間と通らない隙間を多数形成するように設けられた多数の突起部とからなることを特徴とする飲料包装用ペットボトルもよい。
また、飲料を収納する透明樹脂製部材からなる注ぎ口を有するペットボトル容器本体と、このペットボトル容器本体の内側に形成された、該ペットボトル容器本体の中に入れられた玉の抜け道を探しながら該玉を転がして行く迷路とからなることを特徴とする飲料包装用ペットボトルもよい。
【発明の効果】
【０００６】  以上の説明から明らかなように、本発明にあっては、ミネラルウオーターやお茶などの飲料を収納した飲料包装用ペットボトルに、玉を転がし遊ぶため玉案内溝がすでに形成されているので、中の飲料水を出した後にパチンコ玉などの玉を入れれば、玉転がし遊びが誰でもできるので、誰でも安価にないし無料で玉転がし遊具を取得することができるという効果を奏する。
また、玉を入れた後に水を満杯ないし一部いれた状態にして、玉転がし遊戯を楽しむこともできるという効果を奏する。
「玉が通る隙間と通らない隙間を多数形成するように設けられた多数の突起部」を設けたもの、「迷路」を設けたものも前記と同様な効果を奏する。
【発明を実施するための最良の形態】
【０００７】  以下、図面に示す発明を実施するための最良の形態により、本発明を詳細に説明する。【０００８】  図１に示す本発明を実施するための最良の第１の実施の形態において、飲料包装用ペットボトル１は飲料を収納する透明樹脂製部材からなる注ぎ口を有する円筒形態のペットボトル容器本体２と、このペットボトル容器本体２に形成された、該ペットボトル容器本体２の中に入れられたパチンコ玉のような玉３が入り案内されて転がって行くようにする螺旋形態の玉案内溝４とからなっている。
５は注ぎ口を塞ぐキャップ。【０００９】  図２に示す本発明を実施するための最良の第１の実施の形態において、飲料包装用ペットボトル１０は、飲料を収納する透明樹脂製部材からなる注ぎ口を有する四角形態のペットボトル容器本体１１と、このペットボトル容器本体１１の内側に突出するように形成された、該ペットボトル容器本体１１の中に入れられた玉３の抜け道を探しながら該玉３を転がして行く迷路１２とからなっている。
迷路２に変えて、ペットボトル容器本体の中に入れられた玉が通る隙間と通らない隙間を多数形成するように設けられた多数の突起部としたものもよい。
四角形の飲料包装用ペットボトルの場合、それぞれの面に異なる迷路などを形成するのもよい。
【産業上の利用可能性】
【００１０】  本発明はペットボトルを製造する産業で利用される。
【図面の簡単な説明】
【００１１】
【図１】本発明の第１の実施の形態を示す斜視図。
【図２】本発明の第２の実施の形態を示す斜視図。
【符号の説明】
【００１２】１：飲料包装用ペットボトル、
２：ペットボトル容器本体、
３：玉、
４：玉案内溝、
５：キャップ、
１０：飲料包装用ペットボトル、
１１：ペットボトル容器本体、
１２：迷路。
【図１】
2009102061.tif 000003
【図２】
2009102061.tif 000004
(57)【要約】【課題】  必要量のスパゲッティを取り出し、内蓋を外すことなく最後まで取り出すことができるスパゲッティ保存容器を提供する。【解決手段】  上部開口部を有する楕円柱状の容器と外蓋の間に内蓋を設け、内蓋の両端に略三日月状の大きさの異なる穴を設け、穴と接する部分の容器の内側にスパゲッティが出やすいように、誘導部を形成したことを特徴とするスパゲッティ保存容器。【選択図】図１
2009102063.tif 000002
【特許請求の範囲】
【請求項１】
上部開口部を有する楕円柱状の容器と外蓋の間に内蓋を設け、内蓋の両端に略三日月状の大きさの異なる穴を設け、穴と接する部分の容器の内側にスパゲッティが出やすいように誘導部を形成したことを特徴とするスパゲッティ保存容器。
【発明の詳細な説明】
【技術分野】
【０００１】  本発明は、スパゲッティ保存容器に関するものである。
【背景技術】
【０００２】  従来、内蓋にスパゲッティを取り出すための丸い穴が開いていた。
【発明が解決しようとする課題】
【０００３】  そのために、次のような問題点があった。
（イ）スパゲッティの量が減ってくると、丸い穴からスパゲッティを必要量取り出すのが、難しかった。
（ロ）スパゲッティを最後まで出せなくて、内蓋をはずさなくてはならなかった。
本発明は以上の問題点を解決しようとするものである。
【課題を解決するための手段】
【０００４】  上部開口部を有する楕円柱状の容器と外蓋の間に内蓋を設け、内蓋の両端に略三日月状の大きさの異なる穴を設ける。そして、楕円柱状の容器が穴に接する部分の内側に穴からスパゲッティが出やすいように誘導部を形成したことを特徴とするスパゲッティ保存容器である。
【発明の効果】
【０００５】  本発明は、スパゲッティを必要量正確に取り出すことができる。また、内蓋を外すことなくスパゲッティを最後まで取り出すことができる。
【発明を実施するための最良の形態】
【０００６】  以下、本発明の実施の形態を説明する。
（イ）楕円柱状の容器（３）と外蓋（１）の間に内蓋（２）を設け、内蓋（２）の両端に三日月状の大きさの異なる穴（４ａ，４ｂ）を設ける。大きいほうの穴（４ａ）はスパゲッティ二人分の量の大きさであり、小さいほうの穴（４ｂ）は一人分の量の大きさである。
（ロ）楕円柱状の容器（３）の穴に接する部分の内側に、スパゲッティが出やすいように厚みを設けることで誘導部を形成し、内側の面（つら）を容器のふちに揃える。
本発明は以上のような構造よりなるスパゲッティの保存容器である。これにスパゲッティを保存するときは内蓋（２）をはずして入れ、スパゲッティを使用するときは、楕円柱状の容器（３）を必要な量の穴（４ａ，４ｂ）のほうに傾けて、スパゲッティを取り出す。
スパゲッティの量が減っても必要量を正確に取り出すことができる。またスパゲッティを最後まで内蓋を外すことなく取り出すことができる。
なお、図３に示すように内蓋に大小の穴を開ける代わりに、内蓋（２）にスライド部（６）を設けて穴の大きさを変える仕組みにしてもよい。
【図面の簡単な説明】
【０００７】
【図１】本発明の斜視図
【図２】本発明の他の実施例を示す斜視図
【符号の説明】
【０００８】  １  外蓋
２  内蓋
３  容器
４ａ，４ｂ  穴
５  誘導部
６  スライド部
７  取っ手
【図１】
2009102063.tif 000003
【図２】
2009102063.tif 000004
(57)【要約】【課題】禁煙したい人のあらゆる喫煙願望に対していつでも健康的な代替となりかつ快い刺激が得られる方法を提供する。【解決手段】禁煙する手段としてつぎの方法をとる。１．  辛い種類の唐辛子の端を切り種子を取り除く。２．  長さ５ｍｍ以上で口内保持しやすいサイズに切る。３．  口内上部、好ましくは上の歯ぐきと口蓋間の隙間の最上部突き当りに保持する。辛い味覚を舌で感じることは極めて少なく、保持した周囲の粘膜に快い程度の刺激を感じる。しばらくすれば唾液量が少し増えて、喫煙願望は快い粘膜刺激に代替される。本発明の究極は常時の実施であって実施中は禁煙が継続されるほか口内が唐辛子効果で清潔になり健康になる。なお舌、のどや腹で辛すぎる刺激があるときはすぐに取り出して一旦中断する。また食事のときは食べるか廃棄して食事後新しく再開する。【選択図】図１
2009102287.tif 000002
【特許請求の範囲】
【請求項１】
口内に保持して禁煙用の種子を除いた５ｍｍ以上の長さの辛い唐辛子
【請求項２】
口蓋と上の歯ぐき間の隙間の最上部に保持して禁煙用の種子を除いた５ｍｍ以上の長さの辛い唐辛子
【発明の詳細な説明】
【技術分野】
【０００１】本発明は辛い唐辛子を禁煙用として口内上部に保持する方法および形状に関する。
【背景技術】
【０００２】禁煙用補助剤としてニコチンパッチおよびニコチンガムがニコチンからの離脱症状を軽減するため使用されている。ほかに擬似的ハッカパイプが市販されている。
また先の特願２００３−１９２４６９（特開２００４−３５９６５１）は本発明者による出願であり、その中で上唇と上の歯の間に保持すれば虫歯や歯周炎の進行がとまり歯磨きは不要になるとしている。
【発明の開示】
【発明が解決しようとする課題】
【０００３】ニコチンパッチおよびニコチンガムは高価かつ期間限定の医療用であって禁煙後の再喫煙を防ぐものではない。ハッカはハッカ入りたばこがあるように喫煙と共存可能で禁煙用としての効果はきわめて少ない。また先の特願２００３−１９２４６９は目的が禁煙でなく、また舌に辛くて快い刺激が少なかった。
本発明は禁煙したい人のあらゆる喫煙願望に対していつでも健康的な代替となりかつ快い刺激が得られる方法を提供する。
【課題を解決するための手段】
【０００４】禁煙する手段としてつぎの方法をとる。
辛い種類の唐辛子の端を切り種子を取り除く。長さ５ｍｍ以上で口内で保持しやすいサイズに切る。その数片を、禁煙補助目的で口内上部好ましくは口蓋と上の歯ぐき間の隙間の最上部に保持する。
【発明の効果】
【０００５】辛い唐辛子は食品群の香辛料として使えば血行促進、脂肪燃焼および殺菌等の機能があるが禁煙の効果はない。
先の特願２００３−１９２４６９についてその後研究を進めた結果、口内上部に保持することによって禁煙補助の効果があること、及び最適の保持位置が上の歯ぐきと口蓋間の隙間の最上部であることを発見した。
禁煙したい人が本発明を実施すれば上あご内側の粘膜を快く刺激して喫煙願望の代替になる。常時実施すれば禁煙が継続されるほか口内が唐辛子効果で健康になり免疫力が改善し数年後には中性脂肪も減り体全体が健康になるので一石二鳥以上の効果がある。
【発明を実施するための最良の形態】
【０００６】禁煙する手段としてつぎの方法をとる。
１．  辛い種類の（さや）唐辛子の端を切り種子を取り除く。辛い唐辛子には赤色のもの    が多くたとえば鷹の爪、中国料理用唐辛子、沖縄島唐辛子、ハバネロなどである。生    のままは嵩ばるので通常市販される半乾燥状態のものが好ましく、種子をとった後は    漬物容器で圧縮保管すると扱いやすい。
赤ピーマン、万願寺唐辛子、伏見甘長唐辛子など辛くない種類は効果がない。
２．  保持しやすいサイズに切る。粉、ペーストや１〜３ｍｍの輪切りでは歯に付着した    り外れやすいので長さ５ｍｍ以上、通常長さは１〜３センチメートルが好ましく、巾    は保持上必要があれば切る。
３．  口内上部好ましくは上の歯ぐきと口蓋間の隙間の最上部突き当り（以下定位置。図    １参照）に保持する。定位置では辛い味覚を舌で感じることは極めて少なく、保持し    た周囲の口蓋内側や歯ぐき上部に快い程度の刺激を感じる。しばらくすれば唾液量が    少し増えて、喫煙願望は快い粘膜刺激に代替されて無理なく大幅に減退する。なお辛    味の大部分が舌を刺激するときは保持位置を間違えている可能性がある。
本発明の究極は定位置における常時の実施であって、はじめのうちは飛び出しやすいが慣れれば、日中保持したままで普通に会話し、飲み物を飲むことができる。飲酒中であれば血行促進効果でアルコール消化も良好となるので更に適している。固形物を摂れば咀嚼中に外れるのでそのまま食べるか廃棄して中断し食事後新しい唐辛子で再開する。
長時間飲み物を摂らずにいるとき、口中で過度な刺激に変化することがあり、またのどや腹部で刺激を知覚することがある。就寝中であれば目が覚めるほどである。これらは濃度が過大であるので口中の唐辛子はすぐに取り出すべきである。特にのどに刺激を感じる場合は息が苦しくなることがあるので必ずすぐに取り出すべきである。ほかに飲食物の追加が有効であってしばらくすれば治まるので再開する。
なお、始めのうちは唐辛子をやや辛くない種類にするかまたは量を少なくするべきだろう。
【実施例】
【０００７】鷹の爪、中国料理用唐辛子、沖縄島唐辛子、ハバネロの各半乾燥品の種子を取り長さ１〜３ｃｍ、ハバネロは広いので巾約１ｃｍに切って本発明の定位置に保持した。
十分に辛さがあり口蓋の周囲を快く刺激して禁煙願望を代替した。その後数年間以上禁煙継続しつつ口中の健康を増進できている。
【産業上の利用可能性】
【０００８】個人実施可能であるが、禁煙は大規模テーマであるので、普及すれば産業上の利用もあるだろう。
【図面の簡単な説明】
【０００９】
【図１】  本発明を実施中の口腔部周辺の側面断面図である。
【図２】  図１の切断線を示した正面図である。
【符号の説明】
【００１０】  １  唐辛子の最適保持位置（定位置）
２  上の歯ぐき
３  上の歯
４  口蓋
５  舌
【図１】
2009102287.tif 000003
【図２】
2009102287.tif 000004
(57)【要約】【課題】  指先にしっかりとフィットするとともに筆記に際して興趣に富む筆記具のグリップを提供する。  【解決手段】  筆記具を把持する部分に取り付けられるグリップにおいて、弾性に富んだ軟質合成樹脂で筒状に成形するとともに、その表面に複数個の凹陥部を形成し、指先で把持したときにこの凹陥部が変形して内容積が縮小し、指先と凹陥部で形成される閉空間が凹陥部の復元作用で減圧し、指先に吸着する状態にする。  【選択図】  図２
2009166341.tif 000002
【特許請求の範囲】
【請求項１】
筆記具を把持する部分に取り付けられるグリップにおいて、弾性に富んだ軟質合成樹脂で円筒状に成形されるとともに、その表面に複数個の凹陥部が形成され、指先で把持したときに該凹陥部が変形して内容積が縮小し、指先と該凹陥部で形成される閉空間が該凹陥部の復元作用で減圧し、指先に吸着状態になることを特徴とする筆記具のグリップ。
【発明の詳細な説明】
【技術分野】
【０００１】
本発明は、筆記具を把持する部分に取り付けられるグリップに関するものである。
【背景技術】
【０００２】
硬質の合成樹脂で成形された軸筒の前方部分を指先で把持して筆記するとき、指先が滑って筆記しにくいために、筆記具を把持する部分にグリップが取り付けられることが多いが、このグリップを軸筒よりも軟質の合成樹脂で円筒状に成形し、筆記時に指先がグリップにフィットして滑りにくくしている。また、グリップは意匠的な要素を有するので外観上も好ましい効果がある。
【発明の開示】
【発明が解決しようとする課題】
【０００３】
このグリップを軟性の大きな合成樹脂で成形すると、指先にはよくフィットするがべたつきやすく、不快感を与えることがある。一方、硬質（軟性の小さい）の樹脂で成形すると指先へのフィットが不十分である。このため、軟質の樹脂と硬質の樹脂で積層状態に成形したり、その内部に空間を設けてフィットしやすくしたものなどが提案され、実用化されている。
【特許文献１】特開２００７−３２０２４５号公報
【０００４】
ところで筆記具、ことに普及型の筆記具は、本来の筆記機能の他に使用者に楽しみを与えて興趣に富むことも重要となる。しかし、従来のグリップは、意匠的効果は有しても筆記に際して興趣に富むものは実用化されていない。そこで本発明は、指先にしっかりとフィットするとともに筆記に際して興趣に富む筆記具のグリップを提供することを目的とする。
【課題を解決するための手段】
【０００５】
そこで本発明は、筆記具を把持する部分に取り付けられるグリップにおいて、弾性に富んだ軟質合成樹脂で筒状に成形するとともに、その表面に複数個の凹陥部を形成し、指先で把持したときにこの凹陥部が変形して内容積が縮小し、指先と凹陥部で形成される閉空間が凹陥部の復元作用で減圧し、指先に吸着する状態にする。
【発明の効果】
【０００６】
指先で把持するとグリップが指先に吸着状態になるので確実にフィットして筆記しやすく、また、その軽い吸着状態になることによって従来の筆記具にはない感触が得られ、非常に興趣に富んだ筆記具とすることができる。
【発明を実施するための最良の形態】
【０００７】
以下に図面に基づいて本発明を実施するための最良の形態を説明する。図１および図２は本発明のグリップをノック式ボールペンに適用した例を示すが、ノック式ボールペンに限られるものではない。図１および図２において、合成樹脂で成形された軸筒１内には油性インキが充填されたボールポンレフィール２がノックばね３により尾端側に弾発された状態で収容されている。このボールペンレフィール２は次に説明する周知の出没機構により先端のペン体２１が軸筒１の先端開口から出没する。
【０００８】
この出没機構を簡単に説明すると、ボールペンレフィール２の尾端は回転子６に当接している。軸筒１の内面には、縦リブで構成される縦溝が形成されたカム５が固定されており、回転子６の羽根部がカム５の縦溝に嵌った状態で前後動可能になっている。軸筒１の尾端開口からは、クリップ４１が一体に成形されたノックカバー４が突出しており、ノックカバー４にはノック継ぎ手４２を介してノック４３が接続されている。ペン体２１が軸筒１内に没入した状態からノックカバー４をノックするとノック４３が前進して回転子６に回転力を付与した状態で回転子６を前進させる。そして、回転子６の羽根部が縦溝から抜け出すと、ペン体２１が軸筒１の先端開口１１から突出するとともに回転子６は少し回転して羽根部がカム５の縦リブの先端に係止して筆記可能になる。また、ペン体２１が軸筒１の先端開口１１から突出した状態から再びノックすると、回転子６が少し回転して羽根部が再びカム５の縦溝にはまり込み、ノックを解除すると回転子６は後退してペン体２１は軸筒１内に没入する。
【０００９】
軸筒１の先端部分にはグリップ７が取り付けられている。グリップ７は軟質で弾性に富んだ合成樹脂、例えばシリコンゴムで円筒状に成形されており、その表面に多数の半球状をした凹陥部７１が形成されている。そして、グリップ７を指先で把持するとき、図３（Ａ）に示すように指先Ｆが凹陥部７１ａに当接し、把持力によって図３（Ｂ）に示すようにグリップ７が弾性変形し、指先Ｆが当接した凹陥部７１ａの内部の空気が外部に逃げるとともに内容積が縮小する。しかし、グリップ７が弾性に富んだ合成樹脂で成形されているので変形した凹陥部７１ａに復元する力が作用し、指先Ｆと凹陥部７１ａで形成された閉空間は少し拡張して減圧状態になる。このため、グリップ７が指先Ｆに軽く吸着して確実にフィットするので筆記しやすくなり、グリップとしての機能を確実に果たす。また、その軽い吸着状態によって従来の筆記具にはない独特の感触が得られ、非常に興趣に富んだ筆記具とすることができる。
【図面の簡単な説明】
【００１０】
【図１】本発明実施例の正面図である。
【図２】本発明実施例の断面図である。
【図３】グリップの把持状態の説明図である。
【符号の説明】
【００１１】
１      軸筒
１１      先端開口
２      ボールペンレフィール
２１      ペン体
３      ノックばね
４      ノックカバー
４１      クリップ
４２      ノック継ぎ手
４３      ノック
５      カム
６      回転子
７      グリップ
７１      凹陥部
【図１】
2009166341.tif 000003
【図２】
2009166341.tif 000004
【図３】
2009166341.tif 000005
(57)【要約】【課題】従来接着剤を使用する方法だと、手を使ってラインストーンに接着剤にて付けて携帯電話等に付けていたので、長時間かかっていた。また、両面接着テープにラインストーンを接着させる方式では、接着強度がひくかったので、剥がれの心配があった。【解決手段】ラインストーンをホットメルトフィルムに熱プレスを使って、熱接着させて一体化させ、その後、ホットメルトフィルムの下面に両面接着テープを接着させたことを特徴とする。【選択図】図２
2009166466.tif 000002
【特許請求の範囲】
【請求項１】
ホットメルトフィルムの上にラインストーンをデザイン通りに置き、この状態で熱接着したラインストーンを付けたアクセサリー。
【請求項２】
上記の請求項１のホットメルトフィルムの下面に、両面接着テープを付着させたラインストーンを付けたアクセサリー。
【請求項３】
ホットメルトフィルムの上にラインストーンを２個以上配置して熱接着した上記請求項１と請求項２に記載のラインストーンを付けたアクセサリー。
【発明の詳細な説明】
【技術分野】
【０００１】  この発明は、携帯電話などの持ち運び可能な電子機器に付着させるアクセサリー、及び、衣服に付着させるアクセサリーに関するものである。
【背景技術】
【０００２】  従来、携帯電話等に接着剤を使って、直接ラインストーンを接着したアクセサリーがあった。また、別の方法としては、両面接着テープの上にラインストーンを配置して接着したアクセサリーを、携帯電話等に貼り付けたものがあった。
【発明の開示】
【発明が解決しようとする課題】
【０００３】  これには次のような欠点があった。
（イ）  従来、携帯電話にラインストーンを付着させるには、ラインストーンの下面に接着剤を付け、デザインに従って１個１個携帯電話の所定の場所に接着させていた。この方法だと、人間の手で行うため長時間かかっていた。また、精度よくラインストーンを配置し、接着することが大変難しかった。従って、加工費が非常に高かった。
（ロ）  また、従来、別の方法としては、両面接着テープの上にラインストーンをデザイン通りに置き、それを携帯電話に接着させていた。この方法で接着させたラインストーンは、接着が弱いので、携帯電話に何か物が当たったり、あるいは、擦れたりするとラインストーンが剥がれ落ちる欠点があった。
【発明が解決するための手段】
【０００４】  ホットメルトフィルム（２）の上にラインストーン（１）をデザイン通りに配置して置き、この状態のまま熱プレスにて熱接着して、ラインストーン（１）とホットメルトフィルム（２）を一体化させる。
そして、ラインストーン（１）を熱接着したホットメルトフィルム（２）の下面に両面接着テープ（３）を貼り付ける。尚、両面接着テープ（３）を後で接着させる側には離型紙（４）を付けておく。
本発明は、以上のような構成よりなるアクセサリーである。
【発明の効果】
【０００５】  発明は以上のような構造で、このアクセサリーを使う時には、両面接着テープ（３）に付いている離型紙（４）を剥がして、携帯電話等に貼り付ける。
本発明により、ラインストーンを携帯電話等に直接貼り付ける難しさが解消できる。
また、前もってラインストーンを配置し、熱接着するため接着の品質が安定し、かつ、高い接着が得られる。
【発明を実施するための最良の形態】
【０００６】  ホットメルトフィルム（２）の上にラインストーン（１）をデザイン通りに配置する。この状態のまま、ホットメルトフィルムの融点以上の温度に保持した熱プレスの上に置き、熱プレスして、ラインストーン（１）とホットメルトフィルム（２）を一体化させる。
また、ラインストーンをホットメルトフィルム上に２個以上配置する場合、ラインストーンの間隔は特に定めない。
そして、ラインストーン（１）を熱接着したホットメルトフィルム（２）の下面に両面接着テープ（３）を貼り付ける。尚、両面接着テープ（３）を後で接着させる側には離型紙（４）を付けておく。
【図面の簡単な説明】
【０００７】
【図１】本発明の断面図である。
【図２】本発明の斜視図である。
【符号の説明】
【０００８】  １  ラインストーン
２  ホットメルトフィルム
３  両面接着テープ
４  離型紙
【図１】
2009166466.tif 000003
【図２】
2009166466.tif 000004
(57)【要約】【課題】風景画を書いたり、人気漫画のキャラクタ−、車等を書きやすくするための透明の文具の下敷きを提供する。【解決手段】▲１▼透明の文具の下敷きに、中央付近の１点で交差する目盛りの付いた直線を側から側まで何本も設け、各直線の両側に同じ記号を付ける。▲２▼各直線の片側に、画用紙に目安の線を引くための丸い穴を設ける。▲１▼と▲２▼を備えたことを特徴とする、透明の文具の下敷き。【選択図】図１
2009166467.tif 000002
【特許請求の範囲】
【請求項１】
▲１▼透明の文具の下敷きに、中央付近の１点で交差する直線を側から側まで何本も設け各直線の両側に同じ記号を付け、各直線に目盛りを付ける。
▲２▼各直線の片側に、画用紙に目安の線を引くための丸い穴を設ける。
▲１▼と▲２▼を備えたことを特徴とする、透明の文具の下敷き。
【発明の詳細な説明】
【技術分野】
【０００１】本発明は、中央付近から目盛り入りの何本もの直線を設けた下敷きに関するものである
【背景技術】
【０００２】従来、各種の文具の下敷きがある。
【発明の開示】
【発明が解決しようとする課題】
【０００３】各種の文具の下敷きがあるが、絵を書くための目安の線を引くための手段が設けられていない。
【課題を解決するための手段】
【０００４】▲１▼透明の文具の下敷きに、中央付近の１点で交差する目盛りの入った直線を、側から側まで何本も設け、各直線の両側に記号を付ける。
▲２▼各直線の片側に、画用紙に絵を書くための目安の線を引くための丸い穴を設ける。
以上からなる、透明の文具の下敷きである。
【発明の効果】
【０００５】風景画、等の遠近感を出すための基準の線が書け、遠近感のある絵が書ける。
人気の漫画キャラクタ−、車、飛行機、等を書きたいときの、基準の線が書ける。
【発明を実施するための最良の形態】
【０００６】  以下、本発明の実施の形態について説明する。
透明の文具の下敷き（３）に、中央付近の一点で交差する目盛り入りの直線（２）を側から側まで何本も設け、各直線（２）の両側に記号を付ける。各直線（２）の片側に、画用紙に絵を書くための目安の線を引くための丸い穴（１）を設ける。
通常は文具の下敷きとして普通に使用する。これ以外に使用する例として、
▲１▼風景画等を書くときは、透明の文具の下敷き（３）を通して書きたい風景をみる。
▲２▼その風景に合う直線（２）を選び出し、その直線（２）を画用紙に書く。
▲３▼画用紙に書いた直線（２）を基準にして、見た通りの風景を書いてゆく。
▲４▼人気漫画のキャラクタ−、車、等を書くときは、先にその絵の中心を決める。
▲５▼決めた絵の中心に、本下敷き（３）の目盛りの入っ直線（２）の中心を合わせて重ねる。
▲６▼本下敷き（３）の直線（２）の目盛りにより、書くために必要なポイントを中心からの距離で確認し、これを基準にして画用紙に絵を書いてゆく。
【図面の簡単な説明】
【０００７】
【図１】  本発明の直線の入った透明の文具の下敷き。
【図２】  本発明の文具の下敷きの直線を基準にして書いた、車。
【図３】  本発明の文具の下敷きの直線を基準にして書いた、風景画。
【符号の説明】
【０００８】  １    丸い穴
２    目盛り入りの直線
３    透明の文具の下敷き
【図１】
2009166467.tif 000003
【図２】
2009166467.tif 000004
【図３】
2009166467.tif 000005
(57)【要約】【課題】解決しようとする課題は、熱可塑性樹脂のブロー成形により形成される自動車用サクションパイプに別部品を連通させるための孔をホールソーであける場合、該ホールソーの刃に付いた切屑を、従来は作業者がいちいち手作業で除去するしかなかったことである。【解決手段】合成樹脂に円孔をあけるために使用されるホールソーであって、ホールソーのセンタードリルの周囲、且つ刃体の内側にスポンジ体を同心円状に着設することにより前記課題を解決した。【選択図】図２
2009166224.tif 000002
【特許請求の範囲】
【請求項１】
合成樹脂に円孔をあけるために使用されるホールソーであって、センタードリルの周囲、且つ刃体の内側にスポンジ体が同心円状に着設されていることを特徴とするホールソー
【発明の詳細な説明】
【技術分野】
【０００１】
本発明は、合成樹脂に円孔をあけるために使用されるホールソーに関する。
【背景技術】
【０００２】
図１は熱可塑性樹脂のブロー成形により形成される自動車用サクションパイプ１の斜視図である。２は別部品（図示せず）を連通させるための孔であり、ブロー成形後に矢印Ａの方向からホールソー（図示せず）によって孔あけされている。
【０００３】
上記ホールソーに関する従来技術としては特許文献１に開示されているような、センタードリルと、センタードリルの外方に配置される複数本の刃体を保持する刃固定部材と、前記刃固定部材をセンタードリルの長手方向に移動可能に保持する支持部材と、前記刃固定部材をセンタードリルの刃先側へ付勢する付勢部材とを備えたようなものがある。
【特許文献１】特公平７−２２８４７号公報
【０００４】
しかし、特許文献１に示される付勢部材は刃固定部材をセンタードリルの刃先側へ付勢するためのものであって、切屑のみを押すものではないから、特許文献１に開示されているような方法では該ホールソーの刃に付いた切屑を作業者が、いちいち手作業で除去するしかないという欠点があった。
【発明の開示】
【発明が解決しようとする課題】
【０００５】
解決しようとする課題は、熱可塑性樹脂のブロー成形により形成される自動車用サクションパイプに別部品を連通させるための孔をホールソーであける場合、該ホールソーの刃に付いた切屑を作業者が、いちいち手作業で除去するしかないという点である。本発明は上記の点を解決するためになされた。
【課題を解決するための手段】
【０００６】
上記目的をはたすため本発明は、合成樹脂に円孔をあけるために使用されるホールソーであって、センタードリルの周囲、且つ刃体の内側にスポンジ体が同心円状に着設されていることを最も主要な特徴とする。
【発明の効果】
【０００７】
本発明によれば、熱可塑性樹脂のブロー成形により形成される自動車用サクションパイプに別部品を連通させるための孔をホールソーであける際に、該ホールソーの刃に付いた切屑が該スポンジ体の弾力によって自動的に除去されるという利点がある。
【発明を実施するための最良の形態】
【０００８】
熱可塑性樹脂のブロー成形により形成される自動車用サクションパイプに別部品を連通させるための孔をホールソーであける際に、該ホールソーの刃に付いた切屑を自動的に除去するという目的を、センタードリルの周囲、且つ刃体の内側にスポンジ体を同心円状に着設することによって、スポンジ体という安価な部材を用いて、経済性を損なわずに実現した。
【実施例１】
【０００９】
本発明の構成を発明の実施の形態に基づいて説明すると次の通りである。
【００１０】
図２は、本発明の１実施例を示すホールソー５の斜視図である。８は柔軟なスポンジ体であり、センタードリル７の周囲、且つ切削用刃体６，６の内側に位置するように該ホールソー５に同心円状に着設されている。
【００１１】
次に本発明の作用を説明する。図１の矢印Ａの方向から該ホールソー５（図１中には図示せず）を回転させながら該サクションパイプ１に近づけると、該刃体６，６（図１中には図示せず）は該サクションパイプ１に擦過して該孔２をあける。
【００１２】
図３は図１のＢ−Ｂ断面を表す孔あけ作業中の断面図である。このとき該ホールソー５によって該サクションパイプ１から切り取られた切屑１０は該スポンジ体８に押されて該サクションパイプ１の内側に落とされるから、該切屑１０が該ホールソー５に付着することはない。
【００１３】
以上実施例に述べたように本発明によれば、ホールソーのセンタードリルの周囲、且つ刃体の内側にスポンジ体を同心円状に着設することで、熱可塑性樹脂のブロー成形により形成される自動車用サクションパイプに別部品を連通させるための孔をホールソーであける際に該ホールソーの刃に付いた切屑が、該スポンジ体の弾力によって自動的に除去されるという効果がある。
【産業上の利用可能性】
【００１４】
本発明は、自動車用サクションパイプの孔あけに限らず、合成樹脂に丸孔をあけるために広く利用可能である。
【図面の簡単な説明】
【００１５】
【図１】自動車用サクションパイプの斜視図
【図２】本発明に係るホールソーの斜視図
【図３】図１のＢ−Ｂ断面を表す、本発明に係る孔あけ作業中の断面図
【符号の説明】
【００１６】
１    サクションパイプ
２    孔
５    ホールソー
６    刃体
７    センタードリル
８    スポンジ体
１０    切屑
【図１】
2009166224.tif 000003
【図２】
2009166224.tif 000004
【図３】
2009166224.tif 000005